(57)【特許請求の範囲】
【請求項１】
ａ．  センサユニット（３）と、
ｂ．  前記センサユニット（３）と協働する伝動装置（１０）と、
ｃ．  前記伝動装置（１０）にかみ合っている、ブレーキ摩耗に割り当てられた入力値または特性値のための中央駆動要素（８）と、
を備えている、ディスクブレーキのブレーキ摩耗センサにおいて、
ｄ．  前記ブレーキ摩耗センサが、前記ブレーキ摩耗に割り当てられた他の入力値または特性値のための少なくとも１個の追加入力部（９）を備えていることを特徴とするブレーキ摩耗センサ。
【請求項２】
少なくとも１個の前記追加入力部（９）が前記伝動装置（１０）と協働していることを特徴とする請求項１に記載のブレーキ摩耗センサ。
【請求項３】
少なくとも１個の前記追加入力部（９）が、追加駆動装置（２１）を介して前記伝動装置（１０）に連結されていることを特徴とする請求項２に記載のブレーキ摩耗センサ。
【請求項４】
前記追加駆動装置（２１）が、平歯車装置、ウォーム歯車装置、かさ歯車装置、連結棒、突棒またはカム装置として形成されていることを特徴とする請求項３に記載のブレーキ摩耗センサ。
【請求項５】
前記伝動装置（１０）が遊星歯車装置であることを特徴とする請求項２または３に記載のブレーキ摩耗センサ。
【請求項６】
前記追加駆動装置（２１）が前記遊星歯車装置の遊星キャリヤ歯車（１８）に連結されていることを特徴とする請求項５に記載のブレーキ摩耗センサ。
【請求項７】
前記センサユニット（３）がポテンショメータを備えていることを特徴とする請求項１〜６のいずれか一項に記載のブレーキ摩耗センサ。
【請求項８】
前記センサユニット（３）が誘導型および／または容量型トランスデューサを備えていることを特徴とする請求項１〜６のいずれか一項に記載のブレーキ摩耗センサ。
【請求項９】
ディスクブレーキのブレーキ摩耗センサの測定信号を、前記ブレーキ摩耗センサの少なくとも２つの異なる入力値または特性値に割り当てる方法において、
前記測定信号が、前記ディスクブレーキの異なる運転状態に依存してその都度、前記ブレーキ摩耗センサの少なくとも２つの異なる入力値または特性値の一つに割り当てられ、前記ブレーキ摩耗センサが請求項１〜８のいずれか一項に記載のブレーキ摩耗センサであることを特徴とする方法。
【請求項１０】
請求項１〜８のいずれか一項に記載のブレーキ摩耗センサを備えたディスクブレーキ。
【発明の詳細な説明】
【技術分野】
【０００１】
本発明は、請求項１の前提部分に記載したディスクブレーキのブレーキ摩耗センサに関する。本発明はさらに、このようなブレーキ摩耗センサの測定信号を割り当てる方法に関する。
【背景技術】
【０００２】
ディスクブレーキはいろいろな構造が知られ、往々にしてブレーキパッドとブレーキディスクの摩耗を検知するためのセンサを備えている。このようなブレーキ摩耗センサはある実施形では、遊星歯車装置を介して調節可能なポテンショメータを備えている。その際、遊星歯車装置は調整装置に連結され、この調整装置の調整変位が回転角度として遊星歯車装置に伝達される。ポテンショメータは測定信号を処理するために一体化された電子装置を備えている。
【０００３】
このようなブレーキ摩耗センサはきわめて有効であった。ブレーキと制動過程の絶え間なく強まる自動化および監視の場合、他の特性値を検出する必要がある。これは例えば、このようなディスクブレーキのブレーキ回転レバーのストロークである。しかしながら、他の特性値を感知するためにその都度、付加的なセンサを必要とし、このセンサは然るべき構造スペースを有し、それに伴って部品費用を含む設備コストがかかる。
【発明の概要】
【発明が解決しようとする課題】
【０００４】
そこで、本発明の課題は、改良されたブレーキ摩耗センサを提供することである。
【課題を解決するための手段】
【０００５】
この課題は、請求項１の特徴を有するブレーキ摩耗センサによっておよび請求項９の特徴を有する方法によって解決される。
【０００６】
本発明の思想は、ブレーキ摩耗センサを、少なくとも２つの異なる入力値または特性値を検出するように形成することにある。
【０００７】
従って、ディスクブレーキのブレーキ摩耗センサであって、
ａ．  センサユニットと、
ｂ．  センサユニットと協働する伝動装置と、
ｃ．  伝動装置にかみ合っている、ブレーキ摩耗に割り当てられた入力値または特性値のための中央駆動要素と、
を備えている、このブレーキ摩耗センサは、
ｄ．  他の入力値または特性値のための少なくとも１個の追加入力部を備えていることを特徴とする。
【０００８】
ブレーキ摩耗センサのこの追加入力部によって、一方ではほとんど既存の部品を使用することができる。これはさらに、他の１つの特性値または複数の特性値を検出するために、コストのかかる電子装置を備えた他のセンサを必要としないことを意味する。センサにおける既存の部品の配置変更によっておよび既存の伝動装置において他の駆動可能性を付け加えることによってのみ、少なくとも１つの付加的な測定信号を発生することができる。
【０００９】
その際、既存の伝動装置は少なくとも１つの追加入力部によって拡張される。それにより、この追加入力部によって伝動装置は付加的に調節可能である。そのためにわずかの変更または補足しか必要とせず、この変更または補足は既存の構造スペースを実質的に拡大しない。付加的な特性値のための付加的なセンサは不要である。
【００１０】
実施形では、少なくとも１個の追加入力部が追加駆動装置を介して伝動装置に連結されている。この追加駆動装置は最も簡単な実施形では平歯車装置であり、この場合追加駆動要素はこの平歯車を備え、この平歯車は伝動装置歯車の歯または追加の歯にかみ合っている。さらに、ウォーム歯車装置、かさ歯車装置、連結棒、突棒またはカム装置を、個別的にあるいは伝動装置の対応する相手方部材と組み合わせて、追加駆動装置のために使用可能である。センサが静止位置で戻しばねの力によってストッパーに押し付けられると好都合である。
【００１１】
有利な実施形では、センサユニットと協働するブレーキ摩耗センサの伝動装置が遊星歯車装置である。その際、例えば遊星キャリヤ歯車が駆動部分を備え、この駆動部分が追加駆動装置の一部を形成することが簡単に可能である。これは例えば外歯であっても内歯であってもよい。
【００１２】
センサユニットはポテンショメータを備えることができるがもちろん、測定信号を加工、処理または評価するための電子装置を備えていてもよい。
【００１３】
センサユニットは誘導型および／または容量型トランスデューサを単独で備えていてもよいし、他のトランスデューサと組み合わせて備えていてもよい。その際、センサユニット内の電子装置は例えば測定信号を他の加工に適合させること、例えばデジタル化することができる。誘導型および容量型トランスデューサはさらに、操作が非接触式で、従って摩擦を生じないという利点を生じ、さらに保守不要である。
【００１４】
ディスクブレーキのブレーキ摩耗センサの測定信号を、ブレーキ摩耗センサの少なくとも２つの異なる入力値または特性値に割り当てる方法は、測定信号が、ディスクブレーキの異なる運転状態に依存してその都度、ブレーキ摩耗センサの少なくとも２つの異なる入力値または特性値の一つに割り当てられ、前記ブレーキ摩耗センサが請求項１〜８のいずれか一項に記載のブレーキ摩耗センサであることを特徴とする。
【００１５】
そのために、評価装置を例えばブレーキ制御装置に統合するかまたは別個に配置することができ、この評価装置はその都度の状態に関するブレーキ装置の既存の信号やデータを受け取り、ブレーキ摩耗センサの測定信号の評価のために一緒に評価する。
【００１６】
ディスクブレーキは上記のブレーキ摩耗センサを備えている。
【００１７】
添付の図を参照して、本発明を実施の形態に基づいて詳しく説明する。
【図面の簡単な説明】
【００１８】
【図１】開放した従来技術のブレーキ摩耗センサの概略的な斜視図である。
【図２】開放した本発明のブレーキ摩耗センサの概略的な斜視図である。
【図３】図２に示した本発明のブレーキ摩耗センサのセンサユニットを備えた遊星歯車装置の概略的な分解斜視図である。
【図４】図２に示した本発明に係るブレーキ摩耗センサをＩＶ−ＩＶ線に沿って切断して示す斜視図である。
【図５】図４に示した遊星歯車装置の概略的な断面図である。
【図６】図２に示した本発明に係るブレーキ摩耗センサの概略的な特性曲線図である。
【発明を実施するための形態】
【００１９】
図において、同じ機能を有する同一構成要素または機能ユニットには、同じ参照符号が付けてある。
【００２０】
図１は開放した従来技術のブレーキ摩耗センサの概略的な斜視図である。
【００２１】
従来のブレーキ摩耗センサはハウジング１を備え、このハウジング内には、センサユニット３を収容する円筒状チャンバ２が形成されている。このチャンバ２は運転中、センサ部品を固定する図示していない閉鎖カバーを備えている。ハウジング１は固定側が示してある。この固定側はブレーキ、例えばブレーキキャリパに取付けられ、シール２５、例えばＯリングによって封止される。固定要素２６、例えばハウジング１の舌片状拡張部に配置されたボルトが固定のために役立つ。固定側とは反対の側には、コンタクトピン５を電気的に接続するために用いられるプラグを収容するための接続部分６が設けられている。このコンタクトピンはセンサユニット３に接続される。センサユニット３は機械的な量を電気的な量に変換するトランスデューサを備えている。これはここでは、ポテンショメータの形態の可変の電気抵抗である。このポテンショメータは付加的な電子機器を備えていてもよく、付設ディスクブレーキのブレーキ摩耗（ブレーキパッド摩耗およびブレーキディスク摩耗）に依存して、伝動装置１０、ここでは遊星歯車装置を介して中央駆動要素８によって調整可能である。そのために、中央駆動要素８は直接的にあるいは例えば他の適当な伝動装置を介して間接的にブレーキ調整装置に連結可能である。ブレーキ調整装置はブレーキ摩耗に依存して、回転を直線的な調整運動に変換することにより、付設ブレーキのブレーキパッドを調整する。回転は、例えばブレーキ回転レバーを用いて制動する際、所定の値を上回るときに行われる。この調整装置の回転角度は、ブレーキ摩耗の寸法（長さの単位、例えばｍｍ）に一致する。回転角度は遊星歯車装置によってポテンショメータに伝達される。このポテンショメータは回転角度を電気的な抵抗値に変換する。この電気的な抵抗は電圧または電流によって測定可能である。この電圧および／または電流は回転角度のマッピング、調整の長さの単位、ひいてはブレーキ摩耗の測定量を表す。
【００２２】
図２は、本発明に係る開放したブレーキ摩耗センサの概略的な斜視図である。
【００２３】
図１に示した従来技術に係るブレーキ摩耗センサと異なり、本発明に係るブレーキ摩耗センサは、第１の入力値または特性値のための中央駆動要素８に加えて、第２の付加的な入力値または特性値を検出するための追加入力部９としての追加駆動要素２２を備えている。その際、第１入力値はブレーキ摩耗であり、付加的な入力値は他の特性値、例えばブレーキ回転レバーのレバーストロークである。このブレーキ回転レバーは制動過程の際にブレーキをかけるためあるいは１個または複数のブレーキパッドを締め付けるために揺動させられ、その際さらに所定の値を超えるときに調整装置を動作させる。
【００２４】
その際、追加入力部９としての追加駆動要素２２は、中央駆動要素８のように、伝動装置１０と協働し、伝動装置、ひいてはセンサユニット３のトランスデューサを付加的に動作させることができる。
【００２５】
図３は、図２に示した本発明に係るブレーキ摩耗センサのセンサユニット３を備えた遊星歯車装置としての伝動装置１０の概略的な分解斜視図であり、図４は図２に示した本発明に係るブレーキ摩耗センサをＩＶ−ＩＶ線に沿って切断して示す斜視図である。
【００２６】
用語「下方」と「下側」はハウジング１のチャンバ２の底の方向を指し、用語「上方」と「上側」はその反対方向を指す。
【００２７】
センサユニット３はここでは回路基板４からなっている。この回路基板はハウジング１のチャンバ２内に相対回転しないように（そのために図には、チャンバ壁と回路基板の突起と、対応する凹部が示してある）チャンバの底に配置され、かつ舌片を備えている。この舌片は例えばウェッジ連結部を介してコンタクト５に連結する働きをする。チャンバ２の底はその中央に、ドーム状の円筒形軸承部分７を備えている。この軸承部分はその中央に、中央駆動要素８のための収容部を形成している。回路基板４は軸承部分７の外側輪郭に適合した貫通穴を有し、組み立て状態で軸承部分７がこの貫通穴を通過している（図４）。この回路基板４には、例えば上側に、１個の抵抗回路（図示せず）または複数の抵抗回路と、１個のコンタクトバスが設けられている。この抵抗回路とコンタクトバスはコンタクト５および／または電子部品に電気的に接続されている。抵抗回路とコンタクトバスは遊星歯車装置の操作部分１３と共にポテンショメータを形成している。操作部分１３は例えばスライディングコンタクトであってもよく、ここでは遊星歯車装置の内歯歯車１１の下側に取付けられている。
【００２８】
遊星歯車装置は内歯１２を有する内歯歯車１１と、外歯を有する３個の遊星歯車１４と、１個の遊星キャリヤ歯車１８と、外歯を有する１個の太陽歯車１５を備えている。この太陽歯車は中央駆動要素８に連結されている。内歯歯車１１と操作部分１３と遊星キャリヤ歯車１８と太陽歯車１５はポテンショメータまたはトランスデューサと共に同軸に配置されている。
【００２９】
内歯歯車１１は図４から分かるように、操作部分１３と共に回路基板４上に配置されている。内歯歯車の内歯１２は遊星歯車１４にかみ合っており、この遊星歯車は遊星歯車軸受１９を介して遊星キャリヤ歯車１８の下側に回転可能に取付けられている。遊星歯車軸受１９はここでは遊星キャリヤ歯車１８の下側のジャーナルを備えている。このジャーナル上に遊星歯車１４が回転可能に装着されている。遊星歯車１４の間の中央に、太陽歯車１５がこの遊星歯車にかみ合って配置されている。太陽歯車１５は中央駆動要素８の構成部分である。この中央駆動要素はシャフトによって形成され、このシャフトはそのほぼ中央に太陽歯車１５を有し、遊星歯車装置の組み立て状態で（図４）遊星キャリヤ１８の穴を上側から通過し、そして下側の軸受端部１６がハウジング１の軸承部分７の収容部に回転可能に収容されている。中央駆動要素８の他端は半径方向に拡がり、内歯または内側プロファイルを有する駆動端部１７を形成している。
【００３０】
遊星キャリヤ歯車１８はその上側の周方向エッジに駆動部分１０を備えている。この駆動部分には追加駆動要素２２が追加駆動装置２１を介して作用連結されている。この追加駆動装置２１は本例では歯車装置として形成されている。この場合、遊星キャリヤ歯車１８の駆動部分１０が内歯を備え、この内歯が追加駆動要素２２の被駆動歯車２３の外歯にかみ合っている。その際、追加駆動要素２２は軸であり、この軸の下端が被駆動歯車２３を有し、上端が追加入力部９として駆動歯車２４を備えている。この駆動歯車はここでは外歯を有する。追加駆動要素２２は、その長手軸線が遊星歯車装置の軸線に対して平行に延在するように配置されている。
【００３１】
この実施の形態では、追加駆動要素２２の駆動歯車２４が付設されたディスクブレーキのブレーキ回転レバーに直接的にまたは他の伝動装置を介して間接的に作用連結されている。それによって、ブレーキ摩耗センサの追加入力部９の第２入力値または特性値は、ブレーキ回転レバーの揺動運動または昇降運動である。追加駆動要素２２は例えばハウジング１のチャンバ２の図示していない閉鎖カバーにその縦軸線回りに回転可能に軸承されている。
【００３２】
ブレーキ摩耗センサに対する２つの入力値または特性値の作用を説明するために、図５は図４の伝動装置の概略的な断面を示している。これに関連して、図２の本発明に係るブレーキ摩耗センサの概略的な特性曲線を示す図６を一緒に説明する。
【００３３】
図５には遊星歯車軸受１９の変形例が示してある。この場合、遊星歯車１４はそれぞれ軸受ジャーナルを備え、この軸受ジャーナルは遊星キャリヤ歯車１８の軸受収容部に回転可能に収容されている。遊星歯車１４は図示では一段式である。遊星歯車はもちろん、二段式または多段式に形成可能である。中央駆動要素８と追加駆動要素２２の回転方向は、遊星歯車装置を上側から（図５において右側から）見て決められる。
【００３４】
第１入力値または特性値、例えば摩耗調整のみの時計回りの回転運動を、中央駆動要素８に加える際、この第１のケースでは、遊星キャリヤ歯車１８が固定保持されていると仮定される。太陽歯車１５は歯を介して遊星歯車１４を反時計回りに回転させる。それによって、遊星歯車１４にかみ合っている内歯１２を介して内歯歯車１１が同様に反時計回りに回転する。この回転運動は操作部分１３を介してセンサユニット３のポテンショメータに伝達される。それによって、操作部分１３のブラシを介して取り出されるポテンショメータの抵抗が変化する。ポテンショメータは詳述しない回路において電圧がかけられ、それによってこの例ではブラシで測定された電圧が高められる。
【００３５】
図６は、センサユニット３で測定された電圧（横座標）と摩耗変位またはストローク（縦座標）の関係を表すセンサ特性曲線２７を示している。第１入力値または特性値に基づく電圧の上昇により、センサ特性曲線２７上に円で印を付けた初期値は、矢印ΔＵvの方向に移動する。それに対応する摩耗値は縦座標に生じる。
【００３６】
第２のケースの場合、ブレーキ摩耗センサが例えばブレーキ回転レバーのストロークとしての第２入力値または特性値によってのみ、追加入力部９を介して、さらに時計回りに回転運動させられ、その際太陽歯車１５または中央駆動要素８が固定保持されると、遊星キャリヤ歯車１８がさらに時計回りに回転し、それによって固定された太陽歯車１５の回りに遊星歯車１４の回転運動を生じる。従って、内歯歯車１１が同様に時計回りに回転運動させられる。
【００３７】
それによって、この第２のケースの場合、ポテンショメータのための操作部分１３の回転方向が逆転し、センサ特性曲線２７上の初期点がこのセンサ特性曲線上で矢印ΔＵＨの方向に上方へ移動する。というのは、測定される電圧が低下するからである。（初期点から出発する）ブレーキ回転レバーの関連ストロークは同様に縦座標上で求めることができる。
【００３８】
第３のケースでは、ブレーキ摩耗センサへの第１と第２の入力値または特性値の同時供給が、同じ回転方向で観察される。その際、操作部分１３の異なる運動が生じる。
【００３９】
そして、第３のケースの特殊なケースである第４のケースでは、第２入力値または特性値が再びその初期位置でリセットされる。これはブレーキ回転レバーストロークで行われる。ブレーキング開始時に、ブレーキ回転レバーはその静止位置から移動位置に揺動し、そしてブレーキングの終わりに再び静止位置に戻る。しかし、それによって開始された、第１入力値または特性値としての調整運動は新しい位置にとどまる。
【００４０】
その結果、１個のセンサユニット３によって出力される異なる２つの入力値または特性値の多数の測定信号を、境界条件に基づく適当な評価によって、この２つの異なる入力値または特性値に割り当てることができる。この境界条件は例えばブレーキに付設されたブレーキ制御装置の情報に基づいて、ブレーキの運転状態から得られる。ブレーキが操作されていない状態では、ブレーキ摩耗センサによって出力される測定信号は、調整、ひいては摩耗のための尺度である。ブレーキ操作時には、測定信号がブレーキ回転レバーのストロークに割り当てられる。ブレーキ回転レバーの普通のストロークは予め電子評価装置のメモリに記憶可能である。ブレーキ操作時のこの記憶された「通常値」からの偏差は、ブレーキングの終了後、実施された摩耗調整としてのそのとき変化した摩耗値に基づいて、変化した摩耗値を有していない他の偏差と異なることができる。
【００４１】
それによって、２つの入力値または特性値の静的および動的測定信号が、１個だけのブレーキ摩耗センサによって出力可能である。
【００４２】
ブレーキパッドおよび／またはブレーキディスクのための交換表示を行うために、さらに摩耗測定値を設定可能な限界値と比較することができる。
【００４３】
ブレーキ作用を判断するためにあるいは通常のブレーキ作用からの偏差を検知するために、ブレーキ回転レバーのストロークの静的または動的測定信号を例えば車両のブレーキ減速度の評価と関連づけることが可能である。
【００４４】
本発明は上述の実施の形態に限定されない。本発明は添付の特許請求の範囲内で変更可能である。
【００４５】
センサユニット３のブラシを備えたポテンショメータの実施形について上述したのと同様に、この原理はコンタクトなしの変形にも適用可能である。このコンタクトなしの変形は例えば保守を必要とせず、摩擦を生じない。このようなコンタクトなしの変形は、測定信号をアナログおよび／またはデジタル出力する誘導型および／または容量型トランスデューサを備えることができる。
【００４６】
第２入力値または特性値（ここではブレーキ回転レバーのストローク）をブレーキ摩耗センサに伝達するための追加駆動装置２１は、図示した実施形の代わりに、ウォーム歯車装置またはかさ歯車装置、連結棒または突棒によって形成可能である。さらに、カム操作装置も使用可能である。センサを戻しばねの力によって静止位置でストッパーに押し付けると好都合である。
【００４７】
さらに、２つ以上の付加的な入力値または特性値のための多数の追加駆動要素を用いることができる。
【符号の説明】
【００４８】
１          ハウジング
２          チャンバ
３          センサユニット
４          回路基板
５          コンタクトピン
６          接続部分
７          軸承部分
８          中央駆動要素
９          追加入力部
１０        伝動装置
１１        内歯歯車
１２        内歯
１３        操作部分
１４        遊星歯車
１５        太陽歯車
１６        軸受端部
１７        駆動端部
１８        遊星キャリヤ歯車
１９        遊星歯車軸受
２０        駆動部分
２１        追加駆動装置
２２        追加駆動要素
２３        被駆動歯車
２４        駆動歯車
２５        シール
２６        固定要素
２７        センサ特性曲線
【図１】
0006019022.tif 000002
【図２】
0006019022.tif 000003
【図３】
0006019022.tif 000004
【図４】
0006019022.tif 000005
【図５】
0006019022.tif 000006
【図６】
0006019022.tif 000007